(57)【要約】【課題】キャビン下に通されるハーネスを、フロアプレート下面の補強梁に対して角当たりが生じない状態で、かつ、上下寸法を抑えたコンパクトな状態で配線し固定できるようにする。【解決手段】キャビンのフロアプレート６の下面に断面Ｖ字形の補強梁１４を設け、キャビン内外の電気機器同士を接続するハーネス７を、フロアプレート６の下面に沿って補強梁１４と交差する方向に配線する。これを前提として、補強梁１４に、ハーネス配線方向に傾斜したハーネスガイド部１５ｂを設け、ハーネス７の乗り越え部分７ａをハーネスガイド部１５ｂに沿って配線し、かつ、ハーネスガイド部１５ｂに取付けられた留め具１１によって固定する構成とした。【選択図】図４
2015206222.tif 000002
【特許請求の範囲】
【請求項１】
キャビンの床となるフロアプレートの下面に補強梁が設けられ、ハーネスが上記フロアプレートの下面に沿って上記補強梁と交差する方向に配線される建設機械の配線構造において、上記補強梁における少なくとも上記ハーネスと交差する部分に、ハーネスの配線方向に傾斜したハーネスガイド部と、ハーネスを上記ハーネスガイド部に固定するハーネス固定手段を設けたことを特徴とする建設機械の配線構造。
【請求項２】
上記ハーネスガイド部を上記補強梁の全長に亘って設けたことを特徴とする請求項１記載の建設機械の配線構造。
【請求項３】
上記補強梁を、上記ハーネスガイド部が補強梁中心線を挟んだ両側に設けられた断面Ｖ字形に形成したことを特徴とする請求項２記載の建設機械の配線構造。
【発明の詳細な説明】
【技術分野】
【０００１】
本発明はショベル等の建設機械において、キャビン内外の電気機器同士を接続するハーネスをキャビン下に通す配線構造に関するものである。
【背景技術】
【０００２】
ショベルを例にとり、図６〜図９によって背景技術を説明する。
【０００３】
ショベルは、図６に示すようクローラ式の下部走行体1上に上部旋回体２が地面に対して鉛直となる軸のまわりに旋回自在に搭載され、この上部旋回体２のベースとなるアッパーフレーム３上に、キャビン４などの各種設備、機器が搭載されるとともに、同フレーム前部に作業アタッチメント(図示省略)が取付けられて構成される。
【０００４】
この明細書においてはキャビン４の位置を左前部とし、これを基準に「左右」及び「前後」の方向性をいうものとする。
【０００５】
アッパーフレーム３の左前部にキャビンデッキ５が設けられ、このキャビンデッキ５上に、図示しない防振マウントを介してキャビン４が搭載される(特許文献１参照)。
【０００６】
一方、キャビン下、すなわち、キャビン４の床となるフロアプレート６とキャビンデッキ５の間に配線空間Ａが形成され、キャビン４内外の電気機器同士を接続するハーネス(電気配線)７が、フロアプレート６の前部に設けられた配線穴８から配線空間Ａに導出され、同空間Ａを後向きに通される。図６中、９はキャビン４内に設けられた運転席である。
【０００７】
このような配線構造は特許文献２に示されている。
【０００８】
ここで、図８，９に示すように、フロアプレート６の下面には同プレート６を補強・補剛するための断面コの字形またはハット型の補強梁１０が取付けられる。
【０００９】
図では、補強梁１０がハーネス７の配線方向(前後方向)に間隔を置いて三個所に、配線方向と直交して設けられる場合を例示している。
【００１０】
この場合、ハーネス７は、図示のようにいくつかの補強梁１０(たとえば配線穴８に近い最前部の補強梁１０。以下、この例で説明する)を乗り越えて配線される。以下、この補強梁１０を乗り越えるハーネス部分を「乗り越え部分」という(図９中に符号「７ａ」を付している)。
【先行技術文献】
【特許文献】
【００１１】
【特許文献１】特開２００６−５６３２５号公報
【特許文献２】特開２０１２−１８８８４８号公報
【発明の概要】
【発明が解決しようとする課題】
【００１２】
この配線構造によると、ハーネス７の乗り越え部分７ａのたとえば後側が、補強梁１０の後側直角部分の角１０ａ(図９中に黒点で示す)に接触した「角当たり」状態となり、この角当たり部分が機体の振動により擦れて損傷するおそれがある。
【００１３】
これを防止するためには、ハーネス７を、乗り越え部分７ａが角１０ａに接触しないように緩やかな曲げ状態で大きく迂回させればよいが、こうすると乗り越え部分７ａの下方への突出量が大きくなる。
【００１４】
また、乗り越え部分７ａの振動を抑制するために、同部分７ａを補強梁１０の底面に固定手段、たとえば図示のように逆止突起付きの止め軸１１ａと締め込み式のバンド１１ｂを備えた結束バンド構造の留め具１１で固定するのが望ましいが、こうすると留め具１１の補強梁下方への突出量が大きくなる。
【００１５】
この二点により、留め具１１を含めた乗り越え部分７ａ全体の下方突出量が増加し、配線空間Ａの上下の必要寸法が大きくなるという問題が生じていた。
【００１６】
なお、上記問題の解決策として、補強梁１０の側面に配線通し穴を前後方向に貫通して設け、ここにハーネス７を直線状に通すことが考えられるが、配線作業が面倒となるとともに、補強梁１０の補強機能が低下する等の弊害が大きいため、得策でない。
【００１７】
そこで本発明は、ハーネスを、フロアプレート下面に設けられた補強梁を乗り越えて配線する構造を前提として、ハーネスを、角当たりを招かずに、しかも上下方向の必要寸法を抑えたコンパクトな状態で配線し固定することができる建設機械の配線構造を提供するものである。
【課題を解決するための手段】
【００１８】
上記課題を解決する手段として、本発明においては、キャビンのフロアプレートの下面に補強梁が設けられ、ハーネスが上記フロアプレートの下面に沿って上記補強梁と交差する方向に配線される建設機械の配線構造において、上記補強梁における少なくとも上記ハーネスと交差する部分に、ハーネスの配線方向に傾斜したハーネスガイド部と、ハーネスを上記ハーネスガイド部に固定するハーネス固定手段を設けたものである。
【００１９】
この構成によれば、ハーネスの「角当たり」に関して、補強梁に直角の角そのものが無くなるため、ハーネスの乗り越え部分が角に接触するおそれがなくなる。
【００２０】
また、乗り越え部分の下方突出量に関して、第１に、ハーネスを、傾斜したハーネスガイド部に沿った緩やかな曲げ状態、すなわち、下方への突出量が小さい状態で補強梁下方に通すことができる。
【００２１】
第２に、ハーネスガイド部に固定手段を設けているため、この固定手段の下方突出量も減少させることができる。
【００２２】
従って、固定手段を含めた乗り越え部分全体の下向き突出量を小さく抑えることが可能となる。
【００２３】
この場合、上記ハーネスガイド部を上記補強梁の全長に亘って設けるのが望ましい(請求項２，３)。
【００２４】
こうすれば、ハーネスガイド機能及び固定機能を発揮させる左右方向位置を補強梁の全長部分から任意に選択できるため、配線の自由度が高くなる。
【００２５】
また、上記補強梁を、上記ハーネスガイド部が補強梁中心線を挟んだ両側に設けられた断面Ｖ字形に形成するのが望ましい(請求項３)。
【００２６】
こうすれば、ハーネスガイド機能及び固定機能を発揮させる前後方向位置を両側ハーネスガイド部のうちから任意にできるため、さらに配線の自由度が高くなる。
【発明の効果】
【００２７】
本発明によると、ハーネスを、フロアプレート下面に設けられた補強梁を乗り越えて配線する構造を前提として、ハーネスを、角当たりを招かずに、しかも上下方向の必要寸法を抑えたコンパクトな状態で配線し固定することができる。
【図面の簡単な説明】
【００２８】
【図１】本発明の実施形態にかかるフロアプレートの裏面図である。
【図２】同、裏面側から見た斜視図である。
【図３】同、断面図である。
【図４】図３の破線囲い部分イの拡大図である。
【図５】(ａ)〜(ｄ)は補強梁のバリエーションを示す概略断面図である。
【図６】本発明の適用対象であるショベルと従来技術を説明するための側面図である。
【図７】ショベルのキャビンとフロアプレートの分解斜視図である。
【図８】従来のフロアプレートの裏面側から見た斜視図である。
【図９】従来の配線構造を示す拡大断面図である。
【発明を実施するための形態】
【００２９】
本発明の実施形態を図１〜図５によって説明する。
【００３０】
実施形態はショベルを適用対象としている。
【００３１】
実施形態において、ショベルの基本構成に係る次の点は前記従来技術と同じである。
【００３２】
(ｉ)  図６に示すように、上部旋回体のベースとなるアッパーフレーム３の左側前部にキャビンデッキ５が設けられ、このキャビンデッキ５上にキャビン４が搭載される点。
【００３３】
(ｉｉ)  キャビン下、すなわち、キャビン４の床となるフロアプレート６とキャビンデッキ５の間に配線空間Ａが形成され、キャビン内外の電気機器同士を接続するハーネス７が、フロアプレート６の配線穴８から配線空間Ａに導出されて、同空間Ａを後向きに通される点。
【００３４】
(ｉｉｉ)  フロアプレート６の下面に補強梁が設けられる点。
【００３５】
実施形態においては、図１，２に示すようにフロアプレート下面の後部、中間部、前部の三個所に補強梁１２，１３，１４が取付けられている。
【００３６】
このうち、中間部及び後部の補強梁１２，１３は、従来と同様に断面コの字形(断面ハット型でもよい)に形成されている。
【００３７】
一方、前部の補強梁１４は、図４に示すように、本体部分１５の前後両側に水平な取付部分１６，１６が一体に設けられて成り、両側取付部分１６，１６がフロアプレート下面に取付けられている。
【００３８】
本体部分１５は、補強梁中心線を挟んだ前後両側部分１５ａ，１５ｂが全長に亘り、フロアプレート下面に向かって先上がりに傾斜した断面Ｖ字形に形成され、両側傾斜部分１５ａ，１５ｂがハーネスガイド部となっている。
【００３９】
ハーネス７は、図１〜図３に示すように、フロアプレート下面に沿って前後方向に、かつ、後部及び中間部両補強梁１２，１３に対してはその側方を迂回し、前部補強梁１４に対してはこれを乗り越える経路で配線される。
【００４０】
この場合、ハーネス７の乗り越え部分７ａは、図３，４に示すように後側ハーネスガイド部１５ｂに沿うように緩やかに曲げられた状態で前部補強梁１４の下方に通される。
【００４１】
また、後側ハーネスガイド部１５ｂに固定手段、たとえば逆止突起付きの軸部１１ａと締め込み式のバンド１１ｂを備えた結束バンド構造の留め具１１が取付けられ、乗り越え部分７ａがこの留め具１１によって固定される。
【００４２】
これにより、乗り越え部分７ａの振動が抑制されるとともに、乗り越え部分７ａと、後側ハーネスガイド部１１ｂを含めた前部補強梁１４との間に一定の隙間が確保された状態となる。
【００４３】
ここで、留め具１１は、後上がりに傾斜した後側ハーネスガイド部１５ｂに対して直角、つまり垂直状態ではなく後下がりに傾斜した状態(下方突出量が小さい状態)で取付けられる。
【００４４】
なお、乗り越え部分７ａを、図示の状態とは逆に、前側ハーネスガイド部１５ａに沿って通し、同ガイド部１５ａに取付けた留め具１１で固定する形態をとってもよい。
【００４５】
この配線構造によれば、ハーネス７が乗り越える前部補強梁１４に直角の角そのものが無くなるため、乗り越え部分７ａが角に接触するおそれがなくなる。
【００４６】
また、乗り越え部分７ａの下方突出量に関して、第１に、ハーネス７を、傾斜したハーネスガイド部１５ｂに沿った緩やかな曲げ状態、すなわち、下向き突出量が小さい状態で補強梁下方に通すことができる。
【００４７】
第２に、傾斜したハーネスガイド部１５ｂに固定手段としての留め具１１を取付けているため、この留め具１１の下方突出量も減少させることができる。
【００４８】
従って、留め具１１を含めた乗り越え部分全体の下向き突出量を小さく抑えることが可能となる。
【００４９】
この場合、ハーネスガイド部１５ｂを前部補強梁１４の全長に亘って設けているため、ハーネスガイド機能及び固定機能を発揮させる左右方向位置を補強梁１４の全長部分から任意に選択することができる。このため、配線の自由度が高くなる。
【００５０】
また、補強梁中心線を挟んだ前後両側にハーネスガイド部１５ａ，１５ｂを設けている(補強梁１４を断面Ｖ字形に形成している)ため、ハーネスガイド機能及び固定機能を発揮させる前後方向位置を両側ハーネスガイド部１５ａ，１５ｂのうちから任意に選択することができる。このため、さらに配線の自由度が高くなる。
【００５１】
他の実施形態
(１)  ハーネスガイド部付きの補強梁１４の他の形状として、図５(ａ)に示すように上記実施形態の本体部分１５に当たる断面Ｖ字形や、同(ｂ)に示すように断面Ｕ字の前後両側辺を傾斜させた形状、同(ｃ)に示すような断面円弧状としてもよい。
【００５２】
あるいは、同(ｄ)に示すように断面コの字の後側辺のみを傾斜させた形状としてもよい。
【００５３】
これらバリエーションにおけるハーネスガイド部に共通符号「Ｂ」を付している。また、図中の黒丸は、実施形態の留め具１１の取付点を示す。
【００５４】
(２)  図１〜図４に示す実施形態では、フロアプレート６の補強梁１２〜１４のうち最前部の補強梁１４のみにハーネスガイド部１５ｂを設けたが、残りの補強梁１２，１３の一方または双方にもハーネスガイド部を設け、ハーネス７をすべてのハーネスガイド部に沿って配線する構成をとってもよい。
【００５５】
(３)  図５(ａ)〜(ｄ)を含めた実施形態ではハーネスガイド部１５ｂ，Ｂを補強梁全長に亘って設けたが、補強梁１４のうちハーネス７の乗り越え部分７ａが通される部分のみを傾斜させてハーネスガイド部としてもよい。
【００５６】
(４)  ハーネス固定手段として、実施形態の留め具１１以外のもの(たとえばＵ字ボルトとナット)を用いてもよい。
【符号の説明】
【００５７】
４  キャビン
６  フロアプレート
７  ハーネス
７ａ  ハーネスの乗り越え部分部分
１１  固定手段としての留め具
１４  前部補強梁
１５  補強梁の本体部分
１５ａ  ハーネスガイド部
Ｂ  ハーネスガイド部
【図１】
2015206222.tif 000003
【図２】
2015206222.tif 000004
【図３】
2015206222.tif 000005
【図４】
2015206222.tif 000006
【図５】
2015206222.tif 000007
【図６】
2015206222.tif 000008
【図７】
2015206222.tif 000009
【図８】
2015206222.tif 000010
【図９】
2015206222.tif 000011